(57)【特許請求の範囲】
【請求項１】
略有底角筒形に形成されたトレーと、Ａ−ＰＥＴを用いて底面の開口した略中空角錐台形に形成され、トレーに着脱自在に被せられる透明の蓋体とを備え、この蓋体の内面に曇り止め用のボードン加工を施した包装容器であって、
上記トレーの周壁の自由端部に連結壁により接続されて周壁の外方向に折り返される外壁と、この外壁に形成されて上記蓋体の傾斜周壁を支持する段差肩受けと、上記トレーの四隅部における外壁の連結壁寄りにそれぞれ設けられる複数の抜け止めストッパと、上記蓋体の傾斜周壁の四隅部にそれぞれ設けられて該複数の抜け止めストッパにそれぞれ嵌まる複数の抜け止め穴とを含み、
各抜け止めストッパを、上記トレーの外壁に形成されてトレーの開口方向から底方向に向かうにしたがい広がりながら傾斜する第一の傾斜辺と、この第一の傾斜辺の自由端に接続されて外壁内方向に湾曲する第一の湾曲辺とから構成し、
各抜け止め穴を、上記蓋体の傾斜周壁の一部を形成して第一の傾斜辺に略対向する第二の傾斜辺と、この第二の傾斜辺の自由端に接続されて該蓋体の内方向に湾曲し、上記第一の湾曲辺に略対向する第二の湾曲辺とから構成したことを特徴とする包装容器。
【請求項２】
上記蓋体の第二の湾曲辺の自由端に、該蓋体の開口方向に伸びて外方向に張り出す可撓性のフランジ片を接続し、このフランジ片を上記トレーの段差肩受けに支持させるようにした請求項１記載の包装容器。
【発明の詳細な説明】
【０００１】
【発明の属する技術分野】
本発明は、和菓子や洋菓子等を収納する包装容器に関し、より詳しくは、トレーに対する蓋体の着脱を容易化する包装容器に関するものである。
【０００２】
【従来の技術】
従来の包装容器は、特許第２９４７４６９号に開示されているように、菓子を収納するトレーと、このトレーに嵌合される略中空角錐台形の蓋体とを備えている。
トレーは、図示しないが、所定の合成樹脂を使用して略有底角筒形に成形され、周壁の上端部に外方向下側に折り返される外壁が連結壁を介して連設されており、この外壁には蓋体の傾斜周壁を支持する段差肩受けが形成されている。トレーの外壁の四隅部には、断面半小判形の抜け止めストッパがそれぞれ突設されている。また、蓋体は、図示しないが、所定の合成樹脂を使用して成形され、傾斜周壁の下部四隅に、抜け止めストッパに嵌合する抜け止め穴がそれぞれ断面半小判形に凹み形成されている。
【０００３】
なお、この種の先行技術文献として、実開平第９‐１３８号公報や実用新案登録第３０２２０５９号等があげられる。
【０００４】
【発明が解決しようとする課題】
従来の包装容器は、以上のようにトレーの外壁の四隅部に断面半小判形の抜け止めストッパがそれぞれ単に突設され、蓋体の傾斜周壁の下部四隅には断面半小判形の抜け止め穴がそれぞれ単に凹み形成されているだけなので、トレーに蓋体を嵌める場合には、抜け止めストッパの平坦な直線部に蓋体の傾斜周壁の下端部が衝突し、蓋体がスムーズに嵌合しないので、少なからず嵌めにくいという問題がある。
【０００５】
この問題を解消する手段としては、強い力を利用した嵌合が考えられるが、トレーや蓋体が合成樹脂製の薄いシートからなる場合に、トレーに蓋体を強く嵌めると、トレーや蓋体が容易に変形して体裁を著しく悪化させたり、破損することが少なくない。このような弊害は、例えば高級な和菓子を収納する場合には、高級和菓子と包装容器とが醸し出す美的バランス、高級感、清潔感等が崩れ、その結果、販売促進機能が大幅に低下するので、放置することはできない。
【０００６】
本発明は、上記に鑑みなされたもので、トレーや蓋体の材質にかかわらず、トレーに蓋体を被せ易くすることのできる包装容器を提供することを目的としている。
【０００７】
【課題を解決するための手段】
本発明においては、上記課題を達成するため、略有底角筒形に形成されたトレーと、Ａ−ＰＥＴを用いて底面の開口した略中空角錐台形に形成され、トレーに着脱自在に被せられる透明の蓋体とを備え、この蓋体の内面に曇り止め用のボードン加工を施したものであって、
上記トレーの周壁の自由端部に連結壁により接続されて周壁の外方向に折り返される外壁と、この外壁に形成されて上記蓋体の傾斜周壁を支持する段差肩受けと、上記トレーの四隅部における外壁の連結壁寄りにそれぞれ設けられる複数の抜け止めストッパと、上記蓋体の傾斜周壁の四隅部にそれぞれ設けられて該複数の抜け止めストッパにそれぞれ嵌まる複数の抜け止め穴とを含み、
各抜け止めストッパを、上記トレーの外壁に形成されてトレーの開口方向から底方向に向かうにしたがい広がりながら傾斜する第一の傾斜辺と、この第一の傾斜辺の自由端に接続されて外壁内方向に湾曲する第一の湾曲辺とから構成し、  各抜け止め穴を、上記蓋体の傾斜周壁の一部を形成して第一の傾斜辺に略対向する第二の傾斜辺と、この第二の傾斜辺の自由端に接続されて該蓋体の内方向に湾曲し、上記第一の湾曲辺に略対向する第二の湾曲辺とから構成したことを特徴としている。
【０００８】
なお、上記蓋体の第二の湾曲辺の自由端に、該蓋体の開口方向に伸びて外方向に張り出す可撓性のフランジ片を接続し、このフランジ片を上記トレーの段差肩受けに支持させることが好ましい。
【０００９】
ここで、特許請求の範囲における略有底角筒形には、有底角筒形と、おおよそ有底角筒形と認められる形状とが含まれる。この点については、蓋体の略中空角錐台形も同様である。また、包装容器は、食品、具体的には、和菓子や洋菓子等の包装に使用されるのが主であるが、なんらこれに限定されず、例えば生鮮食料品等の他の食品、小物品である雑貨、文房具、玩具、薬品等の使用にも使用することができる。
【００１０】
本発明によれば、トレーの開口に蓋体を被せる際、蓋体は、その傾斜周壁の自由端が抜け止めストッパの第一の傾斜辺に接触して案内されることにより、次第にトレーの外側に広がり、第一の湾曲辺に第二の湾曲辺が嵌まるとともに、第一の傾斜辺に第二の傾斜辺が重なることにより、トレーを被覆する。
また、トレーの開口に蓋体を被せる際、トレーの段差肩受けに蓋体のフランジ片が支持されることにより、蓋体の必要以上の嵌め入れに伴う型崩れが抑制防止される。
【００１１】
【発明の実施の形態】
以下、図面を参照して本発明の好ましい実施形態を説明すると、本実施形態における包装容器は、図１ないし図８に示すように、小型の和菓子１を安定した姿勢で収納する略有底角筒形のトレー１０と、このトレー１０の開口に着脱自在に嵌合される略中空角錐台形の蓋体２０とを備え、全体として略中空角錐台形を呈する。
【００１２】
トレー１０は、図１ないし図５に示すように、例えばダイオキシン等の有害物質を発生させない無公害の薄い合成樹脂シート、ＰＶＣ製シート、ＰＰ製シートが真空(圧空)成形されることにより、四隅部が面取りされた平面略正方形の有底角筒形に形成されるとともに、和菓子１が引き立つよう着色(例えば、白色又は黒色)されており、蓋体２０よりも低く形成されている。この可撓性・弾性を有する断面略皿形のトレー１０の平坦な底面上には、図２ないし図４に示すように、搭載する和菓子１にふさわしい連続した複数の波からなる模様１１が選択的に一体形成される。
【００１３】
トレー１０の前後左右の周壁１２の上端部には、外方向下側に伸ばして折り返される外壁１３が水平外方向に伸びる平坦で短い連結壁１４を介し連設され、外壁１３の上下方向における略中央には、蓋体２０の前後左右の傾斜周壁２２の下端部(後述するフランジ片４３)を支持する段差肩受け１５が折曲区画形成されている(図２ないし図５参照)。また、外壁１３の四隅部表面には、連結壁１４付近に位置するリブ状の抜け止めストッパ３０がそれぞれ一体的に配設されている(図２、図４参照)。
【００１４】
トレー１０の前後左右の各連結壁１４は、図１、図２、図４に示すように、略台形に形成され、その水平方向における中央部１６が少々低く、左右両側部１７がそれぞれやや高く形成されており、中央部１６が抜け止めストッパ３０と略同位、あるいは下位に位置している。また、段差肩受け１５は、その一部である中央部が選択的に外方向に膨出折曲形成されることにより、低位に位置する緩やかな略半楕円形の湾曲段差部１８を形成し、この下方下がりの湾曲段差部１８が各連結壁１４の中央部１６に沿うようになっている。
【００１５】
蓋体２０は、図１ないし図３、図６、図７に示すように、例えば特にリサイクルし易く、透明性に優れるＡ‐ＰＥＴからなる薄い合成樹脂シートが真空成形されることにより、四隅部が縦長に面取りされた平面略正方形に形成され、開口した底面が広く、天井２１が狭く形成されており、和菓子１の状態を把握することができるよう透明に形成されている。この可撓性・弾性の蓋体２０は、各傾斜周壁２２が薄く、天井２１が厚く形成され、内面が曇らないようボードン加工されており、四隅部下方には、抜け止めストッパ３０に嵌合係止する抜け止め穴４０がそれぞれ一体的に凹み形成されている。
【００１６】
各抜け止めストッパ３０は、図４や図８に示すように、トレー１０の外壁上部に一体形成されてトレー１０の開口方向(上方向)から底方向(下方向)に向かうにしたがい徐々に広がりながら傾斜する第一の傾斜辺３１と、この第一の傾斜辺３１の下端に連設されてトレー１０や外壁１３の内方向に湾曲する第一の湾曲辺３２とから構成されている。この抜け止めストッパ３０の表面には、図示しない磨耗防止用の塗料が選択的に塗布される。
【００１７】
各抜け止め穴４０は、図６や図８に示すように、蓋体２０の傾斜周壁２２の下部の一部を別の角度で傾きながら形成し、第一の傾斜辺３１に外側から対向して重なる第二の傾斜辺４１と、この徐々に広がりながら傾斜する第二の傾斜辺４１の下端に連設されて蓋体２０の内方向に湾曲し、第一の湾曲辺３２に外側から対向して重なる第二の湾曲辺４２とから構成されている。抜け止め穴４０には、図示しない磨耗防止用の塗料が選択的に塗布される。さらに、蓋体２０の第二の湾曲辺４２の下端には、蓋体２０の開口方向(下方向)に伸びて外方向に張り出す可撓性のフランジ片４３が一体的に連設され、このフランジ片４３がトレー１０の段差肩受け１５に弾発的に支持されて過剰な嵌合が有効に規制される。
【００１８】
上記構成において、和菓子１を包装する場合には、トレー１０内の底面に和菓子１を搭載支持させ、このトレー１０の開口に蓋体２０を上方から押し下げて嵌合すれば良い。この際、蓋体２０は、抜け止めストッパ３０の第一の傾斜辺３１にフランジ片４３の角部が突っかかることなく、滑らかに摺接案内される(図８の矢印参照)ことにより、徐々に下降しながらトレー１０の水平方向外側に広がり、その後、第一の湾曲辺３２に第二の湾曲辺４２が嵌合係止するとともに、第一の傾斜辺３１に第二の傾斜辺４１が重なる。これにより、トレー１０の段差肩受け１５に蓋体２０の下端部であるフランジ片４３が支持され、和菓子１が包装される。
【００１９】
上記構成によれば、トレー１０の抜け止めストッパ３０が単なる断面半小判形ではなく、ガイド機能を有する第一の傾斜辺３１が部分的に傾斜形成されているので、抜け止めストッパ３０に抜け止め穴４０やその下端部のフランジ片４３が強く衝突して突っかかったり、引っかかることがない。したがって、強い嵌合力を用いずとも、抜けにくさを確保しつつトレー１０に蓋体２０を抵抗なくスムーズに嵌合することができ、しかも、トレー１０や蓋体２０が変形して体裁を悪化させたり、破損することがない。これを通じて、例え高級な和菓子１を収納する場合でも、この和菓子１と包装容器とが醸し出す美的バランス、高級感、清潔感等の悪化をきわめて有効に抑制防止することができ、販売促進機能の維持向上も大いに期待できる。
【００２０】
また、強い嵌合力をあえて必要としないから、トレー１０や蓋体２０の厚さを薄くし、製造コストの削減や軽量化等を図ることが可能になる。さらに、各連結壁１４の中央部１６が低く、左右両側部１７がそれぞれ高く形成され、中央部１６が抜け止めストッパ３０と同位、あるいは下位に存在するので、包装時に各隅部から各連結壁１４に伝達される力は、凹んだ中央部１６で分散し、この中央部１６を下方に凹ませる力となり、この力が周壁１２と外壁１３を伸ばす力に変換される。したがって、外壁１３に圧縮力ではなく、引張り力が作用することになるので、変形しにくくなる。
【００２１】
なお、上記実施形態では、単一の和菓子１を収納するトレー１０と蓋体２０とを示したが、トレー１０や蓋体２０を平面略長方形に形成し、複数個の物品を間隔を置いて並列収納するようにしても良い。また、トレー１０の模様１１は、必要に応じて変更したり、省略しても良い。また、周壁１２の上端部に、外方向下側に垂直に折り返される外壁１３を連設したものを示したが、外方向下側に傾斜しながら折り返される外壁１３を連設しても良い。
【００２２】
また、各連結壁１４の中央部１６を高く、左右両側部１７をそれぞれ低く形成することも可能である。さらに、段差肩受け１５の低位に位置する外壁１３の一部を、選択的に外方向に膨出折曲形成することにより、段差肩受け１５の低位に位置する緩やかな略半楕円形の湾曲段差部１８を形成することも可能である。さらにまた、第二の傾斜辺４１を、蓋体２０の傾斜周壁２２の下部の一部を同一の角度で傾きながら形成するものとしても良い。
【００２３】
【発明の効果】
以上のように本発明によれば、上記トレーの周壁の自由端部に連結壁により接続されて周壁の外方向に折り返される外壁と、この外壁に形成されて上記蓋体の傾斜周壁を支持する段差肩受けと、上記トレーの四隅部における外壁の連結壁寄りにそれぞれ設けられる複数の抜け止めストッパと、上記蓋体の傾斜周壁の四隅部にそれぞれ設けられて該複数の抜け止めストッパにそれぞれ嵌まる複数の抜け止め穴とを含み、各抜け止めストッパを、上記トレーの外壁に形成されてトレーの開口方向から底方向に向かうにしたがい広がりながら傾斜する第一の傾斜辺と、この第一の傾斜辺の自由端に接続されて外壁内方向に湾曲する第一の湾曲辺とから構成し、各抜け止め穴を、上記蓋体の傾斜周壁の一部を形成して第一の傾斜辺に略対向する第二の傾斜辺と、この第二の傾斜辺の自由端に接続されて該蓋体の内方向に湾曲し、上記第一の湾曲辺に略対向する第二の湾曲辺とから構成するので、トレーに蓋体を被せ易くすることができるという効果がある。
また、蓋体をＡ−ＰＥＴを用いて形成するので、リサイクルしやすく、優れた透明性を得ることができる。さらに、蓋体の内面に曇り止め用のボードン加工を施すので、蓋体の内面が曇ることにより、包装容器の美的バランスや清潔感等が損なわれることもない。
【図面の簡単な説明】
【図１】本発明に係る包装容器の実施形態における和菓子の包装状態を示す全体斜視説明図である。
【図２】本発明に係る包装容器の実施形態を示す斜視説明図である。
【図３】図２の断面全体説明図である。
【図４】本発明に係る包装容器の実施形態におけるトレーを示す斜視説明図である。
【図５】図４のトレーを示す断面説明図である。
【図６】本発明に係る包装容器の実施形態における蓋体を示す斜視説明図である。
【図７】図６の断面説明図である。
【図８】本発明に係る包装容器の実施形態における抜け止めストッパと抜け止め穴等を示す断面説明図である。
【符号の説明】
１          和菓子
１０        トレー
１２        周壁
１３        外壁
１４        連結壁
１５        段差肩受け
２０        蓋体
２１        天井
２２        傾斜周壁
３０        抜け止めストッパ
３１        第一の傾斜辺
３２        第一の湾曲辺
４０        抜け止め穴
４１        第二の傾斜辺
４２        第二の湾曲辺
４３        フランジ片
【図１】
0003643059.tif 000002
【図２】
0003643059.tif 000003
【図３】
0003643059.tif 000004
【図４】
0003643059.tif 000005
【図５】
0003643059.tif 000006
【図６】
0003643059.tif 000007
【図７】
0003643059.tif 000008
【図８】
0003643059.tif 000009